(57)【要約】【課題】  実機放送マスターシステムではなくても、カットインやこじ開けがなされている間における通常素材の映像を確認できる表示システムを提供すること。【解決手段】  実施形態は、放映される素材の、カットインされた状態における映像を表示するための表示システムであって、第１の素材の放映時間を含む素材放映情報と、カットインの放映時間を含むカットイン情報とを記憶するメモリと、第１の素材を再生するための第１のプレーヤと、カットイン時に放映される第２の素材を再生するための第２のプレーヤと、メモリに記憶された素材放映情報に基づいて、第１の素材を第１のプレーヤから再生させ、メモリに記憶されたカットイン情報に基づいて、第２の素材を第２のプレーヤから再生させる制御部とを備える。【選択図】図１
2018082286.tif 000002
【特許請求の範囲】
【請求項１】
放映される素材の、カットインされた状態における映像を表示するための表示システムであって、
第１の素材の放映時間を含む素材放映情報と、前記カットインの放映時間を含むカットイン情報とを記憶するメモリと、
前記第１の素材を再生するための第１のプレーヤと、
前記カットイン時に放映される第２の素材を再生するための第２のプレーヤと、
前記メモリに記憶された素材放映情報に基づいて、前記第１の素材を前記第１のプレーヤから再生させ、前記メモリに記憶されたカットイン情報に基づいて、前記第２の素材を前記第２のプレーヤから再生させる制御部と、
を備えた表示システム。
【請求項２】
前記制御部は、前記第２のプレーヤからの前記第２の素材の再生が開始されると、この開始時点において前記第１のプレーヤから再生された前記第１の素材の再生位置を、前記メモリに記憶させるとともに、前記第２のプレーヤからの前記第２の素材の再生が終了するまで前記第１のプレーヤからの前記第１の素材の再生を非表示にする一方、前記開始時点からの、前記第２のプレーヤからの前記第２の素材の再生の経過時間を計測し、前記カットインが終了し、前記第２のプレーヤから、前記第２の素材が再生されなくなった時に、前記第１のプレーヤから、前記第１の素材の再生を、前記記憶された再生位置から前記経過時間を進めた位置から再開させる、請求項１に記載された表示システム。
【請求項３】
放映される素材の、こじ開けられた状態における映像を表示するための表示システムであって、
第１の素材の放映時間を含む素材放映情報と、前記こじ開けの放映時間を含むこじ開け情報とを記憶するメモリと、
前記第１の素材を再生するための第１のプレーヤと、
前記こじ開け時に放映される第２の素材を再生するための第２のプレーヤと、
前記メモリに記憶された素材放映情報に基づいて、前記第１の素材の再生を、前記第１のプレーヤから開始させる一方、前記メモリに記憶されたこじ開け情報に基づいて、前記第２の素材の再生を、前記第２のプレーヤから開始させると、前記第２の素材が再生されている間は、前記第１のプレーヤからの前記第１の素材の再生を停止させ、前記第２のプレーヤからの前記第２の素材の再生が終了すると、前記第１のプレーヤによる前記第１の素材の再生を、前記停止された状態から再開させる制御部と、
を備えた表示システム。
【請求項４】
前記制御部は、前記第２の素材の再生が、前記第２のプレーヤから開始されると、この開始時点において前記第１のプレーヤから再生された前記第１の素材の再生位置を、前記メモリに記憶させるとともに、前記こじ開け状態が終了し、前記第２のプレーヤから、前記第２の素材が再生されなくなった時に、前記第１のプレーヤから、前記第１の素材の再生を、前記記憶された再生位置から再開させる、請求項３に記載された表示システム。
【請求項５】
前記第１のプレーヤの背面に、前記第２のプレーヤを配置した、請求項１乃至４のうち何れか１項に記載の表示システム。
【請求項６】
前記第１のプレーヤの前面に、前記第２のプレーヤを配置した、請求項１乃至４のうち何れか１項に記載の表示システム。
【請求項７】
放映される素材の、カットインされた状態における映像を表示するための放送システムであって、
第１の素材と、前記カットイン時に放映される第２の素材とを記憶するビデオサーバと、
表示部とを備え、
前記表示部は、
前記第１の素材の放映時間を含む素材放映情報と、前記カットインの放映時間を含むカットイン情報とを受け取る受取部と、
前記受取部によって受け取られた前記素材放映情報と前記カットイン情報とを記憶するメモリと、
前記第１の素材を再生するための第１のプレーヤと、
前記第２の素材を再生するための第２のプレーヤと、
前記メモリに記憶された素材放映情報に基づいて、前記第１の素材を前記第１のプレーヤから再生させ、前記メモリに記憶されたカットイン情報に基づいて、前記第２の素材を前記第２のプレーヤから再生させる制御部とを備えた、放送システム。
【請求項８】
前記受取部は、前記素材放映情報と前記カットイン情報とを、仮想化された放送マスターシステムから受け取る、請求項７に記載の放送システム。
【請求項９】
前記ビデオサーバに記憶されている前記第１の素材と前記第２の素材との解像度を低下させ、解像度が低下された第１の素材と第２の素材とを生成する低解像度部をさらに備え、
前記第１のプレーヤは、前記解像度が低下された第１の素材を再生し、
前記第２のプレーヤは、前記解像度が低下された第２の素材を再生する、請求項７または８に記載の放送システム。
【請求項１０】
放映される素材の、こじ開けられた状態における映像を表示するための放送システムであって、
第１の素材と、前記こじ開け時に放映される第２の素材とを記憶するビデオサーバと、
表示部とを備え、
前記表示部は、
前記第１の素材の放映時間を含む素材放映情報と、前記第２の素材の放映時間を含むこじ開け情報とを受け取る受取部と、
前記受取部によって受け取られた前記素材放映情報と前記こじ開け情報とを記憶するメモリと、
前記第１の素材を再生するための第１のプレーヤと、
前記第２の素材を再生するための第２のプレーヤと、
前記メモリに記憶された素材放映情報に基づいて、前記第１の素材の再生を、前記第１のプレーヤから開始させる一方、前記メモリに記憶されたこじ開け情報に基づいて、前記第２の素材の再生を、前記第２のプレーヤから開始させると、前記第２の素材が再生されている間は、前記第１のプレーヤからの前記第１の素材の再生を停止させ、前記第２のプレーヤからの前記第２の素材の再生が終了すると、前記第１のプレーヤによる前記第１の素材の再生を、前記停止された状態から再開させる制御部とを備えた、放送システム。
【請求項１１】
前記受取部は、前記素材放映情報と前記こじ開け情報とを、仮想化された放送マスターシステムから受け取る、請求項９に記載の放送システム。
【請求項１２】
前記ビデオサーバに記憶されている前記第１の素材と前記第２の素材との解像度を低下させ、解像度が低下された第１の素材と第２の素材とを生成する低解像度部をさらに備え、
前記第１のプレーヤは、前記解像度が低下された第１の素材を再生し、
前記第２のプレーヤは、前記解像度が低下された第２の素材を再生する、請求項１０または１１に記載の放送システム。
【請求項１３】
第１の放送素材と、第２の放送素材とを記憶する記憶部と、
前記第２の放送素材の種別に応じて前記第１の放送素材の再生状態を決定する決定部と、
当該再生状態を表示する表示部と、
前記第１の放送素材から前記第２の放送素材への放送切り替え時に、前記第２の放送素材の放送後に前記第１の素材を適切に再放送し、かつ前記表示部での前記第１の放送素材の再生位置を変更する、制御部と、
を備えた放送番組表示システム。
【発明の詳細な説明】
【技術分野】
【０００１】
本発明の実施形態は、放映される素材の、カットインまたはこじ開けがなされた状態における映像を表示するための表示システム、放送システム、および放送番組表示システムに関する。
【背景技術】
【０００２】
放送マスターシステム等の社会インフラは、実稼働前に多様な検証が行われる。例えば、開発対象のアプリケーション（ソフトウェア）が組み込み機器（embedded device）において正常に機能するかを検証することは、システム稼働後の安定性を担保する上で重要である。しかし、近年の放送局に据え付けられるデジタル放送マスタ送出システムは大規模かつ多種多様なシステムであることから、システム構築後の検証作業が長期間に亘ってしまうことがある。
【０００３】
ところで近年、コンピュータ資源を利用してシミュレーション環境を構築し、このシミュレーション環境を利用してシステムを検証することが考えられている。この種のシステムを用いれば、ハードウェアの完成を待たずにソフトウェアを検証できる等の多くのメリットを得ることができる。
【先行技術文献】
【特許文献】
【０００４】
【非特許文献１】原嶋秀次、蔭山佳輝、河込和宏、仮想化技術による実機レステスト環境の構築、東芝レビュー、日本、２０１２年、Vol.67、No.8、Page.31-34
【発明の概要】
【発明が解決しようとする課題】
【０００５】
ところで、テレビ放送においては、緊急で報道すべき事件や事故がある場合、現在もしくは予定の番組（以下、「通常素材」と称する）を中断して、臨時番組を放映することがある。そして、臨時番組が終了すると、通常素材の放送が再開される。このような臨時番組が放送される形態は、２つのケースに分類される。
【０００６】
１つは「カットイン」と呼ばれる形態である。カットインの状態では、図１０に示すように、臨時番組（以下、「カットイン素材」とも称する）が放送されている。この間、通常素材は放送されないものの、カットイン素材と並行してバックグラウンドで再生が継続される。従って、カットインの状態では、視聴者は、カットイン素材が放送されていた間にバックグラウンドで再生されていた通常素材の内容を見ることはできない。例えば、テレビドラマの放送中に臨時番組がカットインされた場合、視聴者は、臨時番組が放送されている間のテレビドラマ映像を見ることができず、また、臨時番組が終わりテレビドラマが再開されたとしても、臨時番組中のテレビドラマ映像は再生されない。
【０００７】
他の１つは「こじ開け」と呼ばれる形態である。こじ開けの状態では、図１１に示すように、臨時番組（以下、「こじ開け素材」とも称する）が放送される。この間、通常素材は再生されずに停止状態が維持される。従って、こじ開け素材の放送が終了すると、視聴者は、通常素材をその停止された時点から見ることができる。例えば、テレビドラマの放送中に臨時番組がこじ開けされた場合、臨時番組の終了後にテレビドラマのまだ放送されていない部分が再生される。
【０００８】
放送局に設けられる放送マスターシステムでは、通常素材に、カットイン素材やこじ開け素材が挿入された場合でも、カットイン素材やこじ開け素材だけでなく通常素材の再生状態も同時にモニタすることができる。
【０００９】
しかしながら、シミュレーション環境が構築された仮想化放送マスターシステムでは、前述したように、当初の目的が、ハードウェアの存在を前提とした実機放送マスターシステムのソフトウェアの動作確認であるために、実機放送マスターシステムが備えている機能のうちのいくつかが省略されている。このため、イベントに応じた映像信号を再現する機能を有しておらず、例えば、前述したようなカットインやこじ開けがなされている間の通常素材の映像の確認を行うことができない。
【００１０】
本発明が解決しようとする課題は、実機放送マスターシステムではなくても、カットインやこじ開けがなされている間における通常素材の映像を確認することができる表示システム、放送システム、および放送番組表示システムを提供することである。
【課題を解決するための手段】
【００１１】
実施形態の表示システムは、放映される素材の、カットインされた状態における映像を表示するための表示システムであって、第１の素材の放映時間を含む素材放映情報と、カットインの放映時間を含むカットイン情報とを記憶するメモリと、第１の素材を再生するための第１のプレーヤと、カットイン時に放映される第２の素材を再生するための第２のプレーヤと、メモリに記憶された素材放映情報に基づいて、第１の素材を第１のプレーヤから再生させ、メモリに記憶されたカットイン情報に基づいて、第２の素材を第２のプレーヤから再生させる制御部とを備える。
【図面の簡単な説明】
【００１２】
【図１】本発明の実施形態の表示システムを実現するＯＡ状態表示ＰＣが適用される周辺環境を示す図である。
【図２】同実施形態の表示システムを実現するＯＡ状態表示ＰＣの全体構成例を示すブロック図である。
【図３】同実施形態の表示システムを実現するＯＡ状態表示ＰＣにおいて、ＲＡＭに展開されたプログラムと、メモリおよびディスプレイとの接続関係を示す機能ブロック図である。
【図４】同実施形態におけるディスプレイにおけるサブ画面の表示構成例を示す模式図である（カットインもこじ開けもされていない状態）。
【図５】同実施形態におけるディスプレイにおけるサブ画面の表示構成例を示す模式図である（カットインまたはこじ開けがなされている状態）。
【図６】同実施形態の表示システムを実現するＯＡ状態表示ＰＣの動作例を示すフローチャートである。
【図７】変形例１における表示システムを実現するＯＡ状態表示ＰＣにおいて、ＲＡＭに展開されたプログラムと、メモリおよびディスプレイとの接続関係を示す機能ブロック図である。
【図８】同実施形態におけるディスプレイにおけるサブ画面の表示構成例を示す模式図である。
【図９】同実施形態におけるディスプレイにおけるサブ画面の別の表示構成例を示す模式図である。
【図１０】カットインを説明するための概念図である。
【図１１】こじ開けを説明するための概念図である。
【発明を実施するための形態】
【００１３】
図１は、本発明の実施形態の表示システムを実現するＯＡ状態表示ＰＣ１０が適用される周辺環境を示す図である。
【００１４】
ＯＡ状態表示ＰＣ１０は、カットイン素材によってカットインされた状態、または、こじ開け素材によってこじ開けられた状態における、放映される素材（通常素材）の映像を表示するための装置であり、前述した仮想化放送マスターシステム３０に接続されている。
【００１５】
ビデオサーバ４０は、通常素材Ａ、カットイン素材Ｂ、こじ開け素材Ｃといった各種素材を格納している。これら素材は、何れも放送用の高解像度（例えば、ハイビジョン用，４Ｋ用，８Ｋ用等）で用意されている。これら高解像度の素材は、ＯＡ状態表示ＰＣ１０の表示スペックには適さないので、低解像度化ＰＣ５０によってＯＡ状態表示ＰＣ１０における表示スペックに適した解像度に変換した後、ＯＡ状態表示ＰＣ１０へ提供する。
【００１６】
ビデオサーバ４０と、ＯＡ状態表示ＰＣ１０とで、本発明の放送番組表示システムを実現し、さらに低解像度ＰＣ５０を加えることによって、本発明の実施形態の放送システムを実現する。
【００１７】
図２は、ＯＡ状態表示ＰＣ１０の全体構成例を示すブロック図である。
【００１８】
図２に示すようにＯＡ状態表示ＰＣ１０は、プロセッサ（ＣＰＵ）１１、ランダムアクセスメモリ（ＲＡＭ）１２、読み出し専用メモリ（ＲＯＭ）１３、メモリ１４、およびディスプレイ１５を備えている。
【００１９】
ＣＰＵ１１は、ＯＡ状態表示ＰＣ１０全体の動作を制御する。例えばＣＰＵ１１は、操作や外部の図示しないホスト機器からの命令に応答して、後述する各処理に用いるプログラムを実行する。またＣＰＵ１１は、メモリ１４のメモリ空間を管理する。
【００２０】
ＲＡＭ１２は、ＣＰＵ１１の作業領域として使用されるメモリである。ＲＡＭ１２としては、例えばＤＲＡＭ等の半導体メモリが使用される。
【００２１】
ＲＯＭ１３は、制御用のプログラムや制御データ等が予め記憶された不揮発性のメモリである。ＲＯＭ１３は、例えばＢＩＯＳ（Basic Input/Output System）を保持する。
【００２２】
メモリ１４は、ＯＡ状態表示ＰＣ１０による処理に必要な情報、ファイル、データ、およびプログラム等を記憶する。メモリ１４としては、例えば半導体メモリやＳＳＤ（Solid State Drive）、ハードディスクドライブ等が使用される。なお、メモリ１４はデータを記憶することが可能であれば良く、メモリ１４としてその他の記憶媒体を使用しても良い。
【００２３】
メモリ１４に記憶されたプログラムは、ＯＡ状態表示ＰＣ１０が当該プログラムを実行する際に読み出され、ＲＡＭ１２に展開される。
【００２４】
ディスプレイ１５は、種々のプログラムに対応するＧＵＩ（Graphical User Interface）等を所定の解像度で表示する。また、後述するプレーヤ２２によって再生された素材（通常素材、カットイン素材、こじ開け素材）を選択的に表示する。
【００２５】
なお、以上で説明したＯＡ状態表示ＰＣ１０の構成はあくまで一例であり、ＯＡ状態表示ＰＣ１０に対して、メモリ１４およびディスプレイ１５がそれぞれ外部接続される等の構成であっても良い。
【００２６】
図３は、ＲＡＭ１２に展開されたプログラムと、メモリ１４およびディスプレイ１５との接続関係を示す機能ブロック図である。
【００２７】
図３において、ＲＡＭ１２に展開されたプログラムは、破線内に示すように、制御部２０と、受取部２１と、４つのプレーヤ２２（＃１）〜（＃４）とを備えている。
【００２８】
制御部２０は、ＯＡ状態表示ＰＣ１０全体の動作を制御するもので、先ず受取部２１に対して、仮想化放送マスターシステム３０から、通常素材Ａの素材ＩＤおよび放映時間（放映される時間長さ）等を含む通常素材放映情報ａ、カットイン素材Ｂの素材ＩＤおよび放映時間（放映される時間長さ）等を含むカットイン情報ｂ、こじ開け素材Ｃの素材ＩＤおよび放映時間（放映される時間長さ）等を含むこじ開け情報ｃを受け取るよう指示する。
【００２９】
受取部２１は、このような制御部２０による指示に従って、仮想化放送マスターシステム３０に対して、通常素材放映情報ａ、カットイン情報ｂ、およびこじ開け情報ｃを求める要求を送信する。そして、これに応じて、仮想化放送マスターシステム３０から送られた通常素材放映情報ａ、カットイン情報ｂ、およびこじ開け情報ｃを受け取る。
【００３０】
制御部２０は、このようにして受取部２１が受け取った通常素材放映情報ａ、カットイン情報ｂ、およびこじ開け情報ｃを、メモリ１４に記憶させる。
【００３１】
制御部２０はさらに、メモリ１４に記憶された通常素材放映情報ａに含まれる素材ＩＤに対応する通常素材Ａ、メモリ１４に記憶されたカットイン情報ｂに含まれる素材ＩＤに対応するカットイン素材Ｂ、およびメモリ１４に記憶されたこじ開け情報ｃに含まれる素材ＩＤに対応するこじ開け素材Ｃを、受取部２１を介して、低解像度化ＰＣ５０に対して指示する。
【００３２】
これに応じて受取部２１は、通常素材放映情報ａに含まれる素材ＩＤ、カットイン情報ｂに含まれる素材ＩＤ、およびこじ開け情報ｃに含まれる素材ＩＤを、低解像度化ＰＣ５０へ送り、低解像度化ＰＣ５０に対して、通常素材Ａ、カットイン素材Ｂ、およびこじ開け素材Ｃを、ＯＡ状態表示ＰＣ１０へ送るように要求する。
【００３３】
低解像度化ＰＣ５０は、この要求に応じて、ビデオサーバ４０から、通常素材Ａ、カットイン素材Ｂ、およびこじ開け素材Ｃを取得する。ビデオサーバ４０に格納されているこれら素材の解像度は、放送用の高解像度であるため、低解像度化ＰＣ５０は、通常素材Ａ、カットイン素材Ｂ、およびこじ開け素材Ｃの解像度を、ＯＡ状態表示ＰＣ１０における表示に適した解像度に変換した後、ＯＡ状態表示ＰＣ１０へ送る。
【００３４】
受取部２１は、解像度が変換された通常素材Ａ、カットイン素材Ｂ、およびこじ開け素材Ｃを低解像度化ＰＣ５０から受け取り、制御部２０へ送る。
【００３５】
制御部２０は、これら通常素材Ａ、カットイン素材Ｂ、およびこじ開け素材Ｃをメモリ１４に記憶させる。
【００３６】
ＯＡ状態表示ＰＣ１０は、４つのプレーヤ２２（＃１）〜（＃４）を備えている。そして、これら４つのプレーヤ２２（＃１）〜（＃４）は、制御部２０による指示に従って、素材Ａ、Ｂ、Ｃをそれぞれ個別に再生できるように構成されている。
【００３７】
デジタル放送では、１つのチャンネルで３つのサービス、すなわち３つの通常素材Ａ（例えば、通常素材Ａ（＃１）、Ａ（＃２）、Ａ（＃３））を同時に放送することができる。従って、本発明の実施形態では、メモリ１４に記憶された通常素材Ａのうち、３つの通常素材Ａ（例えば、通常素材Ａ（＃１）、Ａ（＃２）、Ａ（＃３））を、４つのプレーヤ２２（＃１）〜（＃４）のうち、３つのプレーヤ２２（＃１）〜（＃３）が再生する。そして、カットインがなされる場合にはカットイン素材Ｂを、こじ開けがなされる場合にはこじ開け素材Ｃを、プレーヤ２２（＃４）が再生する。
【００３８】
このようにして、ＯＡ状態表示ＰＣ１０は、３つの通常素材Ａと、カットイン素材Ｂまたはこじ開け素材Ｃのいずれか一つを個別に再生できるようにしている。
【００３９】
そして制御部２０は、通常素材放映情報ａに含まれる放映時間に従って、メモリ１４に記憶されている対応する通常素材Ａ（例えば、通常素材Ａ（＃１）、Ａ（＃２）、Ａ（＃３））をそれぞれ対応するプレーヤ２２（＃１）〜（＃３）から再生させる。
【００４０】
制御部２０はまた、カットイン情報ｂに含まれる放映時間あるいはこじ開け素材ｃに含まれる放映時間に従って、メモリ１４に記憶されている対応するカットイン素材Ｂあるいはこじ開け素材Ｃをプレーヤ２２（＃４）から再生させる。
【００４１】
ディスプレイ１５は、例えば図４および図５に示すように４つの素材を全て表示できるようにサブ画面が構成されることによって、プレーヤ２２（＃１）〜（＃４）によって再生されたそれぞれの映像を、各サブ画面から独立して同時に表示できるようにしている。
【００４２】
図４は、カットインやこじ開けが行われていない（プレーヤ２２（＃４）によってカットイン素材Ｂもこじ開け素材Ｃも再生されていない）状態におけるディスプレイ１５におけるサブ画面の表示構成例である。この例では、ディスプレイ１５は、プレーヤ２２（＃１）によって再生された通常素材Ａ（＃１）の映像を左上のサブ画面から、プレーヤ２２（＃２）によって再生された通常素材Ａ（＃２）の映像を右上のサブ画面から、プレーヤ２２（＃３）によって再生された通常素材Ａ（＃３）（例えば、１ＳＥＧ）の映像を左下のサブ画面から表示している。
【００４３】
図５は、カットインの状態（プレーヤ２２（＃４）によって、通常素材Ａ（＃１）に対するカットイン素材Ｂ（＃１）が再生されている状態）、または、こじ開けの状態（プレーヤ２２（＃４）によって、通常素材Ａ（＃１）に対するこじ開け素材Ｃ（＃１）が再生されている状態）におけるディスプレイ１５におけるサブ画面の表示構成例である。
この場合、制御部２０は、通常素材Ａ（＃１）を再生するプレーヤ２２（＃１）による映像を、ディスプレイ１５の左上のサブ画面から、右下のサブ画面へ移動させて表示させる。さらに制御部２０は、ディスプレイ１５の左上のサブ画面から、カットイン素材Ｂまたはこじ開け素材Ｃを再生するプレーヤ２２（＃４）による映像を表示させる。
【００４４】
このように、カットインまたはこじ開けがなされた場合には、カットインまたはこじ開けされた通常素材Ａ（この場合、通常素材Ａ（＃１））のディスプレイ１５における表示位置が移動されるので、これを確認することによって、表示位置が移動された通常素材Ａは、カットインまたはこじ開けが適切になされていることを認識できるようになる。
【００４５】
カットインがなされた場合、制御部２０は、プレーヤ２２（この場合、プレーヤ２２（＃１））による通常素材Ａ（この場合、通常素材Ａ（＃１））の再生を停止させずに継続させる。よって、ディスプレイ１５の右下のサブ画面からは、カットイン中であっても、通常素材Ａ（＃１）の映像が表示され続けることになる。
【００４６】
従って、ディスプレイ１５は、右下のサブ画面でカットインされた通常素材Ａ（＃１）が再生された映像を表示し、また同時に左上のサブ画面でカットイン素材Ｂが再生された映像を表示するので、カットイン中に通常素材Ａ（＃１）に不具合等が発生しても、それを容易に確認できるようになっている。
【００４７】
そして制御部２０は、カットインが終了すると同時に、右下のサブ画面から表示されていた映像（この場合、プレーヤ２２（＃１）によって再生される映像）を、再び左上のサブ画面から表示させるようにすることで、図５に示す状態から図４に示す状態に復帰させる。
【００４８】
従って、ディスプレイ１５の状態が、図５から図４に復帰することによって、カットインの終了を認識できるようになるとともに、カットイン後の通常素材Ａ（＃１）の映像をも確認できるようになる。
【００４９】
一方、こじ開けがなされた場合、制御部２０は、プレーヤ２２（この場合、プレーヤ２２（＃１））による通常素材Ａ（この場合、通常素材Ａ（＃１））の再生を停止させる。よって、ディスプレイ１５の右下のサブ画面からは、こじ開け中、プレーヤ２２（＃１）によって再生が中断された時点における通常素材Ａ（＃１）の静止画像が表示され続けることになる。そして、こじ開けが終了すると、制御部２０は、プレーヤ２２（＃１）に対して、表示位置を図４に示す状態に復帰し、通常素材Ａ（＃１）の再生を再開するように指示する。
【００５０】
従って、ディスプレイ１５の状態が、図５から図４に復帰することによって、こじ開けの終了を確認できるようになるとともに、左上のサブ画面を見ることによって、こじ開け後に再生が再開された通常素材Ａ（＃１）の映像をも確認できるようになる。
【００５１】
なお、通常素材Ａ（＃２）に対してカットインまたはこじ開けがなされた場合も、制御部２０は、カットイン素材Ｂ（＃２）またはこじ開け素材Ｃ（＃２）の映像が、通常素材Ａ（＃２）の映像が表示されていたディスプレイ１５の右上のサブ画像から表示されるように指示する一方、通常素材Ａ（＃２）の映像が表示されるサブ画面が、ディスプレイ１５の右下に移動し、カットインまたはこじ開けが終了すると、通常素材Ａ（＃２）の映像が表示されるサブ画面が、右下のサブ画面から、右上のサブ画面へ復帰するように指示する。
【００５２】
同様に、通常素材Ａ（＃３）に対してカットインまたはこじ開けがなされた場合は、制御部２０は、カットイン素材Ｂ（＃３）またはこじ開け素材Ｃ（＃３）の映像が、通常素材Ａ（＃３）の映像が表示されていたディスプレイ１５の左下のサブ画像から表示されるように指示する一方、通常素材Ａ（＃３）の映像が表示されるサブ画面が、ディスプレイ１５の右下に移動し、カットインまたはこじ開けが終了すると、通常素材Ａ（＃３）の映像が表示されるサブ画面が、右下のサブ画面から、左下のサブ画面へ復帰するように指示する。
【００５３】
なお、図４および図５におけるサブ画面の数、各サブ画面のサイズ、形状、通常素材Ａを表示するサブ画面の割当、カットイン素材Ｂまたはこじ開け素材Ｃを表示するサブ画面の割当、カットイン時またはこじ開け時の通常素材Ａの移動先のサブ画面の割当等は、制御部２０からの指令により任意に設定することができる。
【００５４】
次に、以上のように構成した同実施形態の表示システムを実現するＯＡ状態表示ＰＣ１０の動作について、図６に示すフローチャートを用いて説明する。
【００５５】
制御部２０による指示に基づいて、仮想化放送マスターシステム３０から送られた通常素材放映情報ａ、カットイン情報ｂ、およびこじ開け情報ｃが、受取部２１によって受け取られる（Ｓ１）。
【００５６】
受取部２１によって受け取られた通常素材放映情報ａ、カットイン情報ｂ、およびこじ開け情報ｃは、制御部２０によって、メモリ１４に記憶される。
【００５７】
制御部２０による指示に基づいて、受取部２１から、低解像度化ＰＣ５０に対して、メモリ１４に記憶された通常素材放映情報ａ、カットイン情報ｂ、およびこじ開け情報ｃに対応する通常素材Ａ、カットイン素材Ｂ、およびこじ開け素材Ｃを送るように要求がなされる。
【００５８】
この要求に応じて、低解像度化ＰＣ５０によって、ビデオサーバ４０から、通常素材Ａ、カットイン素材Ｂ、およびこじ開け素材Ｃが取得される。さらに、これら素材は、低解像度化ＰＣ５０によって解像度が変換された後、ＯＡ状態表示ＰＣ１０へ送られ、受取部２１によって受け取られる（Ｓ２）。
【００５９】
受取部２１によって受け取られたこれら通常素材Ａ、カットイン素材Ｂ、およびこじ開け素材Ｃは、制御部２０によってメモリ１４に記憶される。
【００６０】
制御部２０では、通常素材Ａが放映される場合、メモリ１４に記憶されている対応する通常素材Ａ（例えば、通常素材Ａ（＃１）、Ａ（＃２）、Ａ（＃３））が取得される。そして、取得された通常素材Ａ（例えば、通常素材Ａ（＃１）、Ａ（＃２）、Ａ（＃３））は、それぞれ対応するプレーヤ２２（＃１）、２２（＃２）、２２（＃３）によって再生され、例えば図４に例示されるように、ディスプレイ１５から、同時に、独立して表示される（Ｓ３）。
【００６１】
制御部２０ではまた、カットインが開始される（Ｓ４：カットイン）と、メモリ１４に記憶されている対応するカットイン素材Ｂが取得される。例えば、通常素材Ａ（＃１）をカットインするカットイン素材Ｂ（＃１）が、制御部２０によって取得された場合には、カットイン素材Ｂ（＃１）が、プレーヤ２２（＃４）によって再生され、例えば図５に例示されるように、ディスプレイ１５の左上のサブ画面から表示され、カットインされた通常素材Ａ（＃１）は、ディスプレイ１５の右下のサブ画面に移動して表示される（Ｓ５）。
【００６２】
さらに、カットインがなされた場合、カットイン中であっても、カットインされた通常素材Ａ（この場合、通常素材Ａ（＃１））の、プレーヤ２２（この場合、プレーヤ２２（＃１））による再生は継続される。従って、ディスプレイ１５の右下のサブ画面からは、カットインされている通常素材Ａ（＃１）の、カットイン中の映像が表示され続ける（Ｓ６）。
【００６３】
このように、カットインがなされた場合には、カットインされた通常素材Ａ（この場合、通常素材Ａ（＃１））のディスプレイ１５における表示位置が移動し、移動後の表示位置において、カットイン中に再生された映像が引き続き表示されるので、これを確認することによって、表示位置が移動された通常素材Ａ（この場合、通常素材Ａ（＃１））が、カットインされていることを把握できるのみならず、カットイン中に通常素材Ａ（この場合、通常素材Ａ（＃１））に不具合等が発生しても、それを発見することも可能となる。
【００６４】
そして、カットインが終了する（Ｓ７）と、ディスプレイ１５のサブ画面の割当は、図４に示す状態に復帰し、右下のサブ画面から表示されていた映像（プレーヤ２２（＃１）によって再生される映像）が、左上のサブ画面から表示される（Ｓ８）。
【００６５】
従って、ディスプレイ１５の状態が、図５から図４に復帰することによって、カットインの終了を認識できるようになるとともに、左上のサブ画面を見ることによって、カットイン後の通常素材Ａ（＃１）の映像をも確認することとが可能となる。
【００６６】
一方、こじ開けが開始される（Ｓ４：こじ開け）と、メモリ１４に記憶されている対応するこじ開け素材Ｃが取得される。例えば、通常素材Ａ（＃１）をこじ開けるこじ開け素材Ｃ（＃１）が、制御部２０によって取得された場合には、こじ開け素材Ｃ（＃１）が、プレーヤ２２（＃４）によって再生され、例えば図５に例示されるように、ディスプレイ１５の左上のサブ画面から表示され、こじ開けられた通常素材Ａ（＃１）は、ディスプレイ１５の右下のサブ画面に移動して表示される（Ｓ１０）。
【００６７】
なお、こじ開け中、こじ開けられた通常素材Ａ（この場合、通常素材Ａ（＃１））の、プレーヤ２２（この場合、プレーヤ２２（＃１））による再生は中断される。従って、ディスプレイ１５の右下のサブ画面からは、こじ開け中、プレーヤ２２（＃１）によって再生が中断された状態の通常素材Ａ（＃１）の静止画像が表示され続ける（Ｓ１１）。
【００６８】
このように、こじ開けがなされた場合には、こじ開けされた通常素材Ａ（この場合、通常素材Ａ（＃１））のディスプレイ１５における表示位置が移動し、移動後の表示位置において、静止画像が表示されるので、これを確認することによって、表示位置が移動された通常素材Ａ（この場合、通常素材Ａ（＃１））は、こじ開けがなされている、と認識することが可能となる。
【００６９】
そして、こじ開けが終了する（Ｓ１２）と、ディスプレイ１５のサブ画面の割当は、図４に示す状態に復帰し、プレーヤ２２（＃１）によって再生される映像が、左上のサブ画面から表示されるようになるとともに、プレーヤ２２（＃１）による通常素材Ａ（＃１）の再生が再開される（Ｓ１３）。
【００７０】
従って、ディスプレイ１５の状態が、図５から図４に復帰することを認識することによって、こじ開けの終了を認識できるようになるとともに、左上のサブ画面を見ることによって、こじ開け後に再生が再開される通常素材Ａ（＃１）の映像をも確認することが可能となる。
【００７１】
（変形例１）  
上記実施形態では、図３に示すように、ＯＡ状態表示ＰＣ１０が、４つのプレーヤ２２（＃１）〜（＃４）を備え、図４および図５のようにディスプレイ１５が４つのサブ画面を有している例について説明した。
【００７２】
しかしながら、本変形例のようにすれば、ＯＡ状態表示ＰＣ１０が、２つのプレーヤ２２（＃１）〜（＃２）しか備えておらず、かつ、ディスプレイ１５がサブ画面を備えていなくても、カットイン時におけるカットイン素材Ｂの映像と、カットイン後に表示される通常素材Ａの映像とを確認することができる。
【００７３】
本変形例における周辺環境は図１の通りであり、ＯＡ状態表示ＰＣ１０の全体構成例も図２の通りであるので、重複説明を省く。しかしながら、本変形例では、ＲＡＭ１２に展開されるプログラムの機能ブロック図では、図７に示す通り、２つのプレーヤ２２（＃１）〜（＃２）しか存在しない。プレーヤ２２（＃１）は、通常素材Ａを再生するためのものであり、プレーヤ２２（＃２）は、カットイン素材Ｂを再生するためものである。
【００７４】
また、ディスプレイ１５におけるプレーヤ２２の配置構成は、図８または図９の通りである。すなわち、図８に示す例では、ディスプレイ１５では、プレーヤ２２（＃１）の背面に、プレーヤ２２（＃２）を配置している。また、図９に示す例では、プレーヤ２２（＃１）の前面に、プレーヤ２２（＃２）を配置している。
【００７５】
そして、プレーヤ２２（＃１）から通常素材Ａが再生され、その映像がディスプレイ１５から表示されている状態で、プレーヤ２２（＃２）によってカットイン素材Ｂの再生が開始されると、制御部２０は、カットイン素材Ｂの再生が開始された時点においてプレーヤ２２（＃１）によって再生されていた通常素材Ａの再生位置を、メモリ１４に記憶させる。制御部２０はさらに、プレーヤ２２（＃２）によるカットイン素材Ｂの再生が終了するまで、プレーヤ２２（＃１）によって再生された通常素材Ａを、ディスプレイ１５から表示させない。そして、その間、制御部２０は、プレーヤ２２（＃２）によって再生されたカットイン素材Ｂを、ディスプレイ１５から表示させる。
【００７６】
制御部２０はさらに、カットイン素材Ｂの再生開始時点からの、プレーヤ２２（＃２）によるカットイン素材Ｂの再生経過時間ｔを計測する。そして、カットインが終了し、プレーヤ２２（＃２）から、カットイン素材Ｂが再生されなくなった時に、プレーヤ２２（＃１）から、通常素材Ａの再生を、メモリ１４に記憶された再生位置から経過時間ｔを進めた位置から再開させる。
【００７７】
本変形例においては、ディスプレイ１５が通常素材Ａと、カットイン素材Ｂとの両方を同時に表示することができない場合であっても、カットイン後に復帰した通常素材Ａの映像を確認することができる。
【００７８】
（変形例２）  
本実施形態の変形例においても、第１の実施形態の変形例と同様に、２つのプレーヤ２２（＃１）〜（＃２）しか備えておらず、かつ、ディスプレイ１５がサブ画面を備えていない場合に、こじ開け時におけるこじ開け素材Ｃの映像、およびこじ開け終了後の通常素材Ａの映像を確認することができる。
【００７９】
本変形例における周辺環境もまた図１の通りであり、ＯＡ状態表示ＰＣ１０の全体構成例も図２の通りであるので、重複説明を省く。そして、本変形例もまた、ＲＡＭ１２に展開されるプログラムの機能ブロック図は、図７に示す通り、２つのプレーヤ２２（＃１）〜（＃２）しか備えていない。プレーヤ２２（＃１）は、通常素材Ａを再生するためのものであり、プレーヤ２２（＃２）は、こじ開け素材Ｃを再生するためものである。
【００８０】
また、ディスプレイ１５における表示状態もまた、変形例１と同様に、図８または図９の通りとなる。
【００８１】
そして、プレーヤ２２（＃１）から通常素材Ａが表示されている状態で、プレーヤ２２（＃２）からのこじ開け素材Ｃの再生が開始されると、制御部２０は、この開始時点においてプレーヤ２２（＃１）から再生された通常素材Ａ１の再生位置を、メモリ１４に記憶させる。その後、こじ開け状態が終了し、プレーヤ２２（＃２）から、こじ開け素材Ｃが再生されなくなった時、制御部２０は、プレーヤ２２（＃１）から、通常素材Ａの映像を、記憶された再生位置から再開させる。
【００８２】
本変形例においては、ディスプレイ１５が通常素材Ａと、こじ開け素材Ｃとの両方を同時に表示することができない場合であっても、こじ開け状態が終了し、再生が再開された通常素材Ａの映像を確認することができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１０  ＯＡ状態表示ＰＣ、１１  プロセッサ（ＣＰＵ）、１２  ランダムアクセスメモリ（ＲＡＭ）、１３  読み出し専用メモリ（ＲＯＭ）、１４  メモリ、１５  ディスプレイ、２０  制御部、２１  受取部、２２  プレーヤ、３０  仮想化放送マスターシステム、４０  ビデオサーバ、５０  低解像度ＰＣ。
【図１】
2018082286.tif 000003
【図２】
2018082286.tif 000004
【図３】
2018082286.tif 000005
【図４】
2018082286.tif 000006
【図５】
2018082286.tif 000007
【図６】
2018082286.tif 000008
【図７】
2018082286.tif 000009
【図８】
2018082286.tif 000010
【図９】
2018082286.tif 000011
【図１０】
2018082286.tif 000012
【図１１】
2018082286.tif 000013